(57)【要約】【課題】本発明の目的は、照明装置の照射範囲の広い携帯用電気丸鋸を提供することである。【解決手段】電動機と、電動機を内蔵すると共に、電動機により回転駆動される鋸刃を回転可能に保持する本体ケーシングと、被切断材上を摺動し切断作業時の案内部材となるベースと、ベースに対して本体ケーシングを傾斜した状態でベースと本体ケーシングとを固定することができる傾斜固定機構と、ベースの切断方向前方側端部に設けられ、被切断材上のスミ線と合わせるための表示部とを備えた切断機において、鋸刃の刃先と、切断方向前方の前記表示部の両方を照明する照明装置を設けた。【選択図】図１
2004243522.tif 000002
【特許請求の範囲】
【請求項１】
電動機と、該電動機を内蔵すると共に該電動機により回転駆動する鋸刃を回転可能に保持する本体ケーシングと、被切断材上を摺動し切断作業時の案内部材となるベースと、該ベースに対して前記本体ケーシングを傾斜した状態で前記ベースと前記本体ケーシングとを固定することができる傾斜固定機構と、前記ベースの切断方向前方側端部に設けられ、前記被切断材上のスミ線と合わせるための表示部とを備えた切断機において、前記鋸刃の刃先と、切断方向前方の前記表示部を照明する照明装置を設けたことを特徴とする電気丸鋸。
【発明の詳細な説明】
【技術分野】
【０００１】
本発明は、鋸刃を照射する照明装置を備え、回転駆動する鋸刃により木材や金属等の被切断材の切断を行う携帯用電気丸鋸に関するものである。
【背景技術】
【０００２】
図４〜図６に鋸刃を照射する照明装置を備えた従来の携帯用電気丸鋸の一例を示す。
【０００３】
図に示す携帯用電気丸鋸は、図示しない電動機と、電動機を内蔵すると共に電動機により回転駆動される鋸刃１を回転可能に保持する本体ケーシング２と、本体ケーシング２の下方に位置し、鋸刃１の一部を下方に突出させ、切断作業時には被切断材上を摺動し切断作業時の案内部材となる平板状のベース３とを有する構成をしており、本体ケーシング２には電動機に供給される電力と同様の電力が供給され鋸刃１の切断方向前方位置（図４の右側方向）を照射するよう配置された照明装置であるライト５が設けられている。
【０００４】
ライト５は鋸刃１の側面に対してほぼ直角な方向に配置されており、ライト５は本体ケーシング２の鋸刃１の切断方向前方端部にほぼ平行な個所に設けられ、鋸刃１側の面が開放した開口部６ａを有するライト収納室６内に収納され、ライト５に他部材が接触する等してライト５が破損してしまうことを抑制するようにしている。
【０００５】
ライト収納室６内に切断作業時に発生する切粉等の異物が混入することを防止するために、図に示すように本体ケーシング２には鋸刃１とライト５との間に介在しライト室６内の開口部６ａを閉塞する透明樹脂製のライトカバー７が取付けられている。ライトカバー７は図６に示すようにほぼコの字状に形成され、本体ケーシング２に本体上方側から取付け可能な構成となっている。図６に示すように本体ケーシング２からライトカバー７を取り外すことによりライト５の交換作業等を行うことができる。なお、図４の矢印８はライト５の照射範囲を示している。
【０００６】
図に示す従来の携帯用電気丸鋸は、ベース３底面に対する鋸刃１の角度を傾斜させた状態で切断作業を行う、いわゆる傾斜切りを可能とする構成をしたものであり、このため本体ケーシング６の前端に連結部１１’、ベース３上面に円弧状の長穴１０ａ’を有するべベルプレート１０’、長穴１０ａ’を貫通し連結部１１’とねじ嵌合しベース３と本体ケーシング２とを固定するボルト１２、本体ケーシング２とベース３とを連結する支点部１３とを有する傾斜固定機構１５を備えた構成となっている。
【０００７】
上記構成の携帯用電気丸鋸は、ボルト１２を緩めることにより、ベース３と本体ケーシング２との固定を解除し、ベース３に対して本体ケーシング２を支点部１３を支点として回動させることができ、これによりベース３底面と鋸刃１との角度を調整し、再度ボルト１２を締付けることでベース３と本体ケーシング２とを固定することにより、任意の角度での傾斜切りを行うことができる。
【０００８】
また、ベース３の切断方向前方側端部には鋸刃１の長手方向上に位置する表示部４が設けられている。この表示部４に被切断材上のスミ線を合わせることにより、スミ線に沿った切断作業を行うことができる。
【発明の開示】
【発明が解決しようとする課題】
【０００９】
上記した従来の携帯用電気丸鋸は、照明装置であるライトを収納するライト収納室６を連結部１１’と連続する本体ケーシング２の個所に設けた構成をしたものであるため、本体ケーシング２にライト収納室６が存在することにより、切断方向前側のベース３の長さ、即ち鋸刃１の切断方向前方端部からベース３の切断方向前方端部との寸法距離Ｃが大きくなってしまうという欠点があった。上記寸法距離Ｃが大きくなることにより、携帯用電気丸鋸が大型化してしまうとものであった。また、ベース３の切断方向前方側端部に鋸刃１の長手方向上に位置する表示部４を設けた構成である場合、表示部４と鋸刃１との寸法距離が大きくなるため、スミ線に沿った切断作業の精度が低下してしまうという欠点があった。
【００１０】
また、ライト収納室６の切断方向前方側には連結部１１’が設けられているため、ライト収納室６は鋸刃１側の面のみしか開放することができず、ライト５によってベース３の切断方向前方側付近を照射することはできないものであった。なお、ライトカバー７によって覆われるライト収納室６の上方面（図７参照）については開口部とすることは可能であるが、ライト５の明かりが作業者の視野に入る可能性があるため実現性がない。
【００１１】
また、ベース３の切断方向前方側端部に設けられた表示部４付近についても上記と同様の理由によりライト５によって照射することができないものであった。
【００１２】
即ち、上記した従来の携帯用電気丸鋸では、ライト５の照射範囲が制限されており、鋸刃１の切断方向前方側付近以外の個所を照射することができないものであった。
【００１３】
本発明の目的は、上記欠点を解消し、鋸刃の切断方向前方端部からベースの切断方向前方端部との寸法距離を小さくすると共に照明装置の照射範囲の広い携帯用電気丸鋸を提供することである。
【課題を解決するための手段】
【００１４】
上記の目的を達成するために本発明は、電動機と、該電動機を内蔵すると共に該電動機により回転駆動する鋸刃を回転可能に保持する本体ケーシングと、被切断材上を摺動し切断作業時の案内部材となるベースと、該ベースに対して前記本体ケーシングを傾斜した状態で前記ベースと前記本体ケーシングとを固定することができる傾斜固定機構と、前記ベースの切断方向前方側端部に設けられ、前記被切断材上のスミ線と合わせるための表示部とを備えた切断機において、前記鋸刃の刃先と、切断方向前方の前記表示部を照明する照明装置を設けたことに特徴がある。
【発明の効果】
【００１５】
本発明によれば、照明装置の照射範囲の広い携帯用電気丸鋸を提供することができる。
【発明を実施するための最良の形態】
【００１６】
本発明携帯用電気丸鋸の一実施形態を図１〜図３を用いて説明する。なお、図１は本発明携帯用電気丸鋸の一実施形態を示す要部断面平面図、図２は図１のＡ−Ａ線断面図、図３は図１の要部拡大斜視図である。
【００１７】
図に示す携帯用電気丸鋸は、図示しない電動機と、電動機を内蔵すると共に電動機により回転駆動される鋸刃１を回転可能に保持する本体ケーシング２と、本体ケーシング２の下方に位置し、鋸刃１の一部を下方に突出させ、切断作業時には被切断材上を摺動し切断作業時の案内部材となる平板状のベース３とを有する構成をしており、本体ケーシング２には電動機に供給される電力と同様の電力が供給され鋸刃１の切断方向前方位置（図１の右側方向）を照射するよう配置された照明装置であるライト５が設けられている。
【００１８】
ライト５を収納するライト収納室６は、本体ケーシング２に切断方向前方側に突出するように設けられ、傾斜切りを可能とする傾斜固定機構１５はライト収納室６とは異なる個所、鋸刃１の長手方向に対する平行線上に両者が位置しない個所に設けられている。本実施形態では、図に示すようにライト収納室６は傾斜固定機構１５よりも鋸刃１側面に近い位置に設けられている。また、図２に示されるようにライト収納室６はベース３上面から離れた個所に設けられている。
【００１９】
図に示す携帯用電気丸鋸の傾斜固定機構１５は本体ケーシング２に円弧状の長穴１０ａを有するべベルプレート１０を固定して設け、ベース３上に上方に突出する連結部１１を設け、べベルプレート１０の長穴１０ａを貫通して連結部１１とねじ嵌合し連結部１１とべベルプレート１０とを固定させるボルト１２を有する構成をしている。ボルト１２を緩めベース３と本体ケーシング２との固定を解除することにより、ベース３に対して本体ケーシング２を図示しない支点部を支点として回動させることができ、回動させた状態で再度ボルト１２を締付け、ベース３と本体ケーシング２とを固定することにより、ベース３底面に対して鋸刃１が傾斜した状態での切断、即ち傾斜切りを行うことができる。
【００２０】
上記したように、ライト収納室６と傾斜固定機構１５とを夫々独立した個所に設けた構成としたことにより、ライト収納室６の切断方向前方側に部材が存在しなくなり、図１に示すように切断方向前側のベース３の長さ、即ち鋸刃１の切断方向前方端部からベース３の切断方向前方端部との寸法距離Ｃを小さくすることができる。
【００２１】
このため、携帯用電気丸鋸の小型化を図ることができるようになり、またベース３の切断方向前方端部に鋸刃１の長手方向上に位置する表示部４を有する構成の場合、鋸刃１の切断方向前方端部と表示部４との距離を小さくすることができるため、スミ線に沿った切断作業の精度を向上させることができる。
【００２２】
また、ライト収納室６の切断方向前方側に部材が存在しなくなることにより、ライト収納室６に鋸刃１側に開放した鋸刃側開口部６ａの他に、切断方向前方側が開放した前方開口部６ｂを設けることが可能となり、これによりライト５の照射範囲を鋸刃１のみの照射ではなく、切断方向前方付近においても照射するようにすることができる。なお、上記したようにライト収納室６に前方開口部６ｂを設けることにより、ベース３の切断方向前方側端部に鋸刃１の長手方向上に設けられ、切断作業時の案内部となる表示部４付近についてもライト５によって照射することができるようになり、切断作業の作業性を向上させることができるようになる。
【００２３】
ライト収納室６の開口部を閉塞するよう本体ケーシング２に取付けられるライトカバー７は、ほぼコの字状に形成され、切断方向前方側からの移動により本体ケーシング２に取付けられ、ライトカバー７によってライト収納室６の鋸刃側開口部６ａ及び前方側開口部６ｂは閉塞される。
【００２４】
上記のように構成された携帯用電気丸鋸は、図１に矢印８で示されるようにライト５の照射範囲を従来の照射範囲よりも広くすることができる。
【００２５】
なお、上記実施形態では、ライト収納室６と傾斜固定機構１５とを夫々独立した個所に設け、ライト収納室６に鋸刃側開口部６ａの他に切断方向前方側が開放した前方開口部６ｂを設けた構成としたが、図に示すようにライト収納室６をベース３上面から離れた位置に設けた構成とすることにより、下方側が開放した下側開口部（図示せず）を設ける構成とすることも可能である。なお、この構成とした場合にはコの字状のライトカバー７は下側方向から本体ケーシング２に取付けられる構成となり、鋸刃１側を照射するのみではなく、鋸刃１側面近傍のベース３上面を照射することができるようになり、従来よりも広いライト５の照射範囲を得ることができるようになるものである。
【００２６】
なお、ライト５は電動機の起動を制御する起動スイッチによって駆動する構成、もしくは起動スイッチの安全スイッチにより駆動する構成とすることが可能である。
【図面の簡単な説明】
【００２７】
【図１】本発明携帯用電気丸鋸の一実施例を示す要部断面平面図。
【図２】図１のＡ−Ａ線断面図。
【図３】図１の要部拡大斜視図。
【図４】従来の携帯用電気丸鋸の一例を示す斜視図。
【図５】図４の要部断面平面図。
【図６】図５のＢ−Ｂ線断面図。
【図７】図４に示す携帯用電気丸鋸の要部拡大分解図。
【符号の説明】
【００２８】
１は鋸刃、３はベース、４は表示部、５はライト、６はライト室、６ａは鋸刃側開口部、６ｂは前方側開口部、７はライトカバー、１５は傾斜固定機構である。
【図１】
2004243522.tif 000003
【図２】
2004243522.tif 000004
【図３】
2004243522.tif 000005
【図４】
2004243522.tif 000006
【図５】
2004243522.tif 000007
【図６】
2004243522.tif 000008
【図７】
2004243522.tif 000009